(57)【要約】  半導体光源（５０２）は、直列に接続される複数の発光素子（５０４＿１〜５０４＿３）を含む。駆動回路（６１０）は、入力電圧（ＶＩＮ）を受け、半導体光源（５０２）に駆動電流（ＩＬＥＤ）を供給する。バイパス回路（６２０）は、複数の発光素子（５０４＿１〜５０４＿３）の一部（５０４＿３）と接続され、低電圧状態においてイネーブル状態となり、駆動電流（ＩＬＥＤ）を迂回させる。補助給電回路（６３０）は、複数の発光素子の一部（５０４＿３）と直列に接続される。判定部（６４０）は、バイパス回路（６２０）をディセーブル状態とし、そのときに補助給電回路（６３０）に期待される電流が流れないときに、複数の発光素子の一部（５０４＿３）がオープン異常であると判定する。
2020045271.tif 000002
【特許請求の範囲】
【請求項１】
直列に接続される複数の発光素子を含む半導体光源のための点灯回路であって、
入力電圧を受け、前記半導体光源に駆動電流を供給する駆動回路と、
前記複数の発光素子の一部である被バイパス素子と接続され、前記入力電圧の低電圧状態においてイネーブル状態となり、前記駆動電流を迂回させるバイパス回路と、
前記駆動回路とは別系統で、前記被バイパス素子に電力を供給する補助給電回路と、
前記バイパス回路をディセーブル状態としたときの前記補助給電回路の電気的状態にもとづいて、前記被バイパス素子がオープン異常であるか否かを判定する判定部と、
を備えることを特徴とする点灯回路。
【請求項２】
前記バイパス回路は、前記被バイパス素子が正常であると判定されたことを条件として、イネーブル状態にセット可能であることを特徴とする請求項１に記載の点灯回路。
【請求項３】
前記判定部は、（i）点灯中に前記低電圧状態となる前、（ii）点灯開始時に前記低電圧状態であるとき、の少なくとも一方において、判定を行うことを特徴とする請求項１または２に記載の点灯回路。
【請求項４】
前記補助給電回路は、前記入力電圧が与えられる入力ラインと前記被バイパス素子の間に設けられる電流制限素子を含むことを特徴とする請求項１から３のいずれかに記載の点灯回路。
【請求項５】
前記補助給電回路は、前記入力電圧が与えられる入力ラインと前記被バイパス素子の間に、前記電流制限素子と直列に設けられるスイッチをさらに含むことを特徴とする請求項４に記載の点灯回路。
【請求項６】
前記判定部は、前記電流制限素子の電圧降下が所定のしきい値より小さいときに、前記被バイパス素子が正常と判定することを特徴とする請求項４または５に記載の点灯回路。
【請求項７】
さらなる低電圧状態において、前記駆動回路を停止し、前記補助給電回路によって前記被バイパス素子のみを点灯可能であることを特徴とする請求項１から６のいずれかに記載の点灯回路。
【請求項８】
前記被バイパス素子は複数であり、
前記バイパス回路は、複数の被バイパス素子に対応する複数のバイパススイッチを含み、
複数の被バイパス素子に対応する複数の補助給電回路を備えることを特徴とする請求項１から７のいずれかに記載の点灯回路。
【請求項９】
前記判定部は、
すべてのバイパススイッチをオフ状態とし、最も低電位側の被バイパス素子から最も高電位側の被バイパス素子に向かって順に判定対象とし、
判定対象の被バイパス素子が正常と判定されると、それに対応するバイパススイッチを導通状態とし、次の被バイパス素子の判定に移行することを特徴とする請求項８に記載の点灯回路。
【請求項１０】
前記判定部は、
最も高電位側の被バイパス素子から最も低電位側の被バイパス素子に向かって順に判定対象とし、
ある被バイパス素子を判定対象とするとき、それよりも低電位側のバイパススイッチを導通状態とし、前記判定対象の被バイパス素子が正常と判定されると、次の被バイパス素子の判定に移行することを特徴とする請求項８に記載の点灯回路。
【請求項１１】
前記複数の補助給電回路はそれぞれ電流制限抵抗を含み、
前記判定部は、
前記複数の補助給電回路に対応し、それぞれが対応する前記電流制限抵抗の電圧降下を所定のしきい値と比較する複数の比較手段と、
前記複数の比較手段の出力を処理するロジック回路と、
を含むことを特徴とする請求項８から１０のいずれかに記載の点灯回路。
【請求項１２】
前記ロジック回路は、
複数のフリップフロップと、
複数の論理ゲートと、
を含み、
各論理ゲートは、前段のフリップフロップの出力と、対応する比較手段の出力を論理演算し、
各フリップフロップは、その入力端子に対応する論理ゲートの出力を受けることを特徴とする請求項１１に記載の点灯回路。
【請求項１３】
前記判定部による判定時において、各フリップフロップの出力に応じて、対応するバイパススイッチのオン、オフが制御されることを特徴とする請求項１２に記載の点灯回路。
【請求項１４】
直列に接続される複数の発光素子を含む半導体光源のための点灯回路であって、
入力電圧を受け、前記半導体光源に駆動電流を供給する駆動回路と、
前記複数の発光素子の一部と接続され、低電圧状態においてイネーブル状態となり、前記駆動電流を迂回させるバイパス回路と、
前記複数の発光素子の前記一部と直列であり、かつ前記駆動回路と並列な経路に設けられる電流制限素子と、
前記バイパス回路をディセーブル状態とし、そのときの前記電流制限素子の電圧降下にもとづいて、前記複数の発光素子の前記一部がオープン異常であるか否かを判定する判定部と、
を備えることを特徴とする点灯回路。
【請求項１５】
複数の発光素子を含む半導体光源と、
前記半導体光源を駆動する請求項１から１４のいずれかに記載の点灯回路と、
を備えることを特徴とする車両用灯具。
【請求項１６】
ＬＥＤソケットであることを特徴とする請求項１５に記載の車両用灯具。
【発明の詳細な説明】
【技術分野】
【０００１】
本発明は、自動車などに用いられる灯具に関する。
【背景技術】
【０００２】
車両用灯具に用いられる光源として、従来は電球が多く用いられてきたが、近年では、ＬＥＤ（発光ダイオード）などの半導体光源が広く採用されるようになっている。【０００３】
図１は、従来の車両用灯具１のブロック図である。車両用灯具１には、スイッチ４を介してバッテリ２からの直流電圧（入力電圧ＶＩＮ）を受ける。光源１０は、直列に接続される複数ｎ個のＬＥＤ１２を含む。光源１０の輝度は、それに流れる駆動電流ＩＬＥＤに応じて制御される。点灯回路２０は、駆動電流ＩＬＥＤを目標輝度に応じた目標量ＩＲＥＦに安定化するＬＥＤドライバ２２を含む。【０００４】
ＬＥＤ１２に、目標量ＩＲＥＦに安定化された駆動電流ＩＬＥＤが流れているときの順方向電圧をＶｆ０とすると、光源１０の両端間電圧（最低点灯電圧という）ＶＭＩＮは、Ｖｆ０×ｎとなる。ｎ＝３とすると、白色ＬＥＤではＶＭＩＮ≒１１Ｖであり、赤色ＬＥＤではＶＭＩＮ≒９Ｖである。言い換えると、ＬＥＤドライバ２２の出力電圧ＶＯＵＴが、この最低点灯電圧ＶＭＩＮを下回ると、駆動電流ＩＬＥＤが目標量ＩＲＥＦを維持できなくなり、複数のＬＥＤ１２が消灯する。【０００５】
ＬＥＤソケットのように低コスト化が求められる点灯回路２０では、ＬＥＤドライバ２２は、定電流シリーズレギュレータあるいは定電流出力のスイッチングコンバータで構成される。この場合、ＬＥＤドライバ２２の出力電圧ＶＯＵＴは、入力電圧ＶＩＮより低くなる。入力電圧ＶＩＮは、バッテリの満充電状態で１３Ｖであるが、放電が進むと、１０Ｖ以下まで低下することも珍しくない。したがって、バッテリ電圧が低下すると（低電圧状態という）、出力電圧ＶＯＵＴが最低点灯電圧ＶＭＩＮを下回る状況が生じ、ＬＥＤ１２が消灯する。【０００６】
低電圧状態における光源１０の消灯を防止するためにバイパススイッチ２４およびバイパス制御回路２６が設けられる。バイパススイッチ２４は、１個のＬＥＤ１２＿ｎと並列に接続される。バイパス制御回路２６は、入力電圧ＶＩＮがあるしきい値ＶＴＨより低くなると低電圧状態と判定し、バイパススイッチ２４をオンする。この状態では、最低点灯電圧ＶＭＩＮ＝Ｖｆ０×（ｎ−１）となり、ＶＩＮ＞ＶＭＩＮが保たれる。つまり、ＬＥＤ１２＿ｎの消灯と引き換えに、残りのＬＥＤ１２＿１〜１２＿（ｎ−１）の点灯を維持することができる。
【先行技術文献】
【特許文献】
【０００７】
【特許文献１】特開２０１６−１９７７１１号公報
【発明の概要】
【発明が解決しようとする課題】
【０００８】
本発明者らは図１の点灯回路２０について検討した結果、以下の課題を認識するに至った。【０００９】
バイパススイッチ２４によりバイパスされるＬＥＤ１２＿ｎにオープン故障が発生したとする。この場合、非低電圧状態では、半導体光源１０の電流経路が遮断されているためすべてのＬＥＤ１２＿１〜１２＿ｎは点灯不能であるが、低電圧状態では、ＬＥＤ１２＿ｎがバイパスされるため、残りのＬＥＤ１２＿１〜１２＿（ｎ−１）を正常点灯できてしまうという状況が生じ、問題である。また、ユーザがランプの故障に気がつくことができず、故障したまま使用を継続するおそれがある。【００１０】
本発明はかかる課題に鑑みてなされたものであり、そのある態様の例示的な目的のひとつは、半導体光源の異常を検出可能な点灯回路の提供にある。
【課題を解決するための手段】
【００１１】
本発明のある態様は、直列に接続される複数の発光素子を含む半導体光源のための点灯回路に関する。点灯回路は、入力電圧を受け、半導体光源に駆動電流を供給する駆動回路と、複数の発光素子の一部である被バイパス素子と接続され、入力電圧の低電圧状態においてイネーブル状態となり、駆動電流を迂回させるバイパス回路と、駆動回路とは別系統で、被バイパス素子に電力を供給する補助給電回路と、バイパス回路をディセーブル状態としたときの補助給電回路の電気的状態にもとづいて、被バイパス素子がオープン異常であるか否かを判定する判定部と、を備える。【００１２】
なお、以上の構成要素の任意の組み合わせや本発明の構成要素や表現を、方法、装置、システムなどの間で相互に置換したものもまた、本発明の態様として有効である。
【発明の効果】
【００１３】
本発明のある態様によれば、半導体光源の異常を検出できる。
【図面の簡単な説明】
【００１４】
【図１】従来の車両用灯具のブロック図である。
【図２】実施の形態に係る点灯回路を備える車両用灯具のブロック図である。
【図３】図３（ａ）、（ｂ）は、図２の車両用灯具の点灯開始時の動作波形図である。
【図４】図２の車両用灯具の点灯中の動作波形図である。
【図５】第１実施例に係る点灯回路を備える車両用灯具のブロック図である。
【図６】第２実施例に係る点灯回路を備える車両用灯具のブロック図である。
【図７】第３実施例に係る点灯回路を備える車両用灯具のブロック図である。
【図８】オープン異常判定のフローチャートである。
【図９】点灯回路の構成例を示す回路図である。
【図１０】判定部の第１の構成例を示す回路図である。
【図１１】判定部の第２の構成例を示す回路図である。
【図１２】第４実施例に係る点灯回路を備える車両用灯具のブロック図である。
【図１３】図１３（ａ）〜（ｄ）は、車両用灯具の一例であるＬＥＤソケットを示す図である。
【発明を実施するための形態】
【００１５】
本明細書に開示される一実施の形態は、点灯回路に関する。点灯回路は、直列に接続される複数の発光素子を含む半導体光源を点灯する。点灯回路は、駆動回路、バイパス回路、補助給電回路、判定部を備える。駆動回路は、入力電圧を受け、半導体光源に駆動電流を供給する。バイパス回路は、複数の発光素子の一部（被バイパス素子）と接続され、入力電圧の低電圧状態においてイネーブル状態となり、駆動電流を迂回させる。補助給電回路は、複数の発光素子の一部である被バイパス素子と直列に接続され、複数の発光素子の残りの部分および駆動回路とは並列に設けられている。判定部は、バイパス回路をディセーブル状態としたときの補助給電回路の電気的状態にもとづいて複数の発光素子の一部（被バイパス素子）のオープン異常を検出する。これにより、被バイパス素子のオープン異常を検出でき、ユーザに故障を通知したり、点灯回路の動作を制限するといった対策が可能となる。
【００１６】
たとえば判定部は、補助給電回路に期待される電流が流れないときに、あるいは補助給電回路に、期待される電圧降下が発生しないときに、被バイパス素子がオープン異常であると判定してもよい。
【００１７】
バイパス回路は、被バイパス素子が非オープン異常（すなわち正常）であると判定されたことを条件として、イネーブル状態にセット可能であってもよい。これにより、正常電圧状態で点灯できない半導体光源が低電圧状態で点灯するのを防止できる。
【００１８】
判定部は、（i）点灯中に低電圧状態となる前、（ii）点灯開始時に低電圧状態であるとき、の少なくとも一方において、バイパス回路をイネーブル状態とする前に、判定を行ってもよい。
【００１９】
補助給電回路は、入力電圧が与えられる入力ラインと複数の発光素子の一部の間に設けられる抵抗を含んでもよい。これにより抵抗の抵抗値に応じて、オープン異常を判定する際に被バイパス素子に流れる電流を設定できる。
【００２０】
補助給電回路は、入力電圧が与えられる入力ラインと複数の発光素子の一部の間に、抵抗と直列に設けられるスイッチをさらに含んでもよい。これにより正常電圧状態において、補助給電回路を完全にオフすることができる。
【００２１】
判定部は、抵抗の電圧降下が所定のしきい値より小さいときに、複数の発光素子の一部がオープン異常であると判定してもよい。駆動用の抵抗を電流監視用の抵抗と兼用することで、回路面積の増加を抑制できる。
【００２２】
点灯回路は、さらなる低電圧状態において、駆動回路を停止し、補助給電回路によって複数の発光素子の一部のみを点灯可能であってもよい。
【００２３】
被バイパス素子は複数であってもよい。バイパス回路は、複数の被バイパス素子に対応する複数のバイパススイッチを含んでもよい。点灯回路は、複数の被バイパス素子に対応する複数の補助給電回路を備えてもよい。
【００２４】
判定部は、すべてのバイパススイッチをオフ状態とし、最も低電位側の被バイパス素子を判定対象とし、最も低電位側の被バイパス素子が正常であるとき、最も低電位側のバイパススイッチを導通状態とし、２番目に低電位の被バイパス素子を判定対象としてもよい。
【００２５】
判定部は、すべてのバイパススイッチをオフ状態とし、最も低電位側の被バイパス素子から最も高電位側の被バイパス素子に向かって順に判定対象としてもよい。判定対象の被バイパス素子が正常と判定されたとき、それに対応するバイパススイッチを導通状態とし、次の被バイパス素子の判定に移行してもよい。ある被バイパス素子が異常であるときは、その被バイパス素子を判定対象とした状態で、正常に戻るまで待機できる。
【００２６】
判定部は、最も高電位側の被バイパス素子から最も低電位側の被バイパス素子に向かって順に判定対象としてもよい。ある被バイパス素子を判定対象とするとき、それよりも低電位側のバイパススイッチを導通状態とし、判定対象の被バイパス素子が正常と判定されたとき、次の被バイパス素子の判定に移行してもよい。ある被バイパス素子が異常であるときは、その被バイパス素子を判定対象とした状態で、正常に戻るまで待機できる。
【００２７】
複数の補助給電回路はそれぞれ電流制限抵抗を含んでもよい。判定部は、複数の補助給電回路に対応し、それぞれが対応する電流制限抵抗の電圧降下を所定のしきい値と比較する複数の比較手段と、複数の比較手段の出力を処理するロジック回路と、を含んでもよい。
【００２８】
ロジック回路は、複数のフリップフロップと、複数の論理ゲートと、を含んでもよい。各論理ゲートは、前段のフリップフロップの出力と、対応する比較手段の出力を論理演算し、各フリップフロップは、その入力端子に対応する論理ゲートの出力を受けてもよい。
【００２９】
判定部による判定時において、各フリップフロップの出力に応じて、対応するバイパススイッチの導通・遮断（オン、オフ）を制御してもよい。これにより、下側の被バイパス素子から順に判定対象とすることができる。
【００３０】
（実施の形態）
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００３１】
本明細書において、「部材Ａが、部材Ｂと接続された状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
【００３２】
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００３３】
また本明細書において、電圧信号、電流信号などの電気信号、あるいは抵抗、キャパシタなどの回路素子に付された符号は、必要に応じてそれぞれの電圧値、電流値、あるいは抵抗値、容量値を表すものとする。
【００３４】
図２は、実施の形態に係る点灯回路６００を備える車両用灯具５００のブロック図である。車両用灯具５００には、スイッチ４を介してバッテリ２からの直流電圧（入力電圧）ＶＩＮが供給される。車両用灯具５００は、半導体光源５０２および点灯回路６００を備える。半導体光源５０２は、直列に接続される複数ｎ個（ｎ≧２）の発光素子５０４＿１，５０４＿２，…５０４＿ｎを含む。図２にはｎ＝３の場合が示される。発光素子５０４はたとえばＬＥＤが好適であるが、その限りでなく、ＬＤ（レーザダイオード）や有機ＥＬ素子などを採用してもよい。車両用灯具５００は、たとえばストップランプやテールランプであり、半導体光源５０２は赤色ＬＥＤであってもよい。車両用灯具５００の好適な一態様は、半導体光源５０２と点灯回路６００とが１パッケージに収容されたＬＥＤソケットであり、図示しないランプボディに着脱可能な形状を有する。ＬＥＤソケットは、長寿命化はもちろんのこと、消耗品であるが故に低コスト化が強く求められる。
【００３５】
点灯回路６００は、駆動回路６１０、バイパス回路６２０、補助給電回路６３０、判定部６４０を備える。
【００３６】
駆動回路６１０は入力電圧ＶＩＮを受け、半導体光源５０２に目標量ＩＲＥＦに安定化された駆動電流ＩＬＥＤを供給する。駆動回路６１０は、（i）定電流リニアレギュレータ、（ii）定電流出力の降圧スイッチングコンバータあるいは、（iii）定電圧出力の降圧スイッチングコンバータと定電流回路の組み合わせ、のいずれかで構成することができる。
【００３７】
バイパス回路６２０は、複数の発光素子５０４の少なくともひとつ（５０４＿３）と接続される。発光素子５０４＿３を、被バイパス素子５０３ともいう。バイパス回路６２０は、イネーブル状態（導通）、ディセーブル状態（遮断）が切り替え可能であり、イネーブル状態において駆動電流ＩＬＥＤを迂回させる。バイパス回路６２０は、所定のあるいは可変のしきい値ＶＴＨと入力電圧ＶＩＮとの大小関係にもとづいて低電圧状態を検出可能であり、低電圧状態（ＶＩＮ＜ＶＴＨ）を検出するとイネーブル状態となり、正常電圧状態（ＶＩＮ＞ＶＴＨ）を検出するとディセーブル状態となる。
【００３８】
補助給電回路６３０は、被バイパス素子５０５と直列に接続される。被バイパス素子５０５には、通常は駆動回路６１０から給電されて、駆動電流ＩＬＥＤが流れるが、オープン異常の検出の際は、補助給電回路６３０から給電され、補助電流ＩＡＵＸが流れる。
【００３９】
補助電流ＩＡＵＸは、それが流れることにより被バイパス素子５０５が明るく点灯しない程度に小さく、駆動電流ＩＬＥＤの目標量ＩＲＥＦよりも十分に小さい。なお、正常電圧状態における被バイパス素子５０５の輝度に影響を及ぼさないように、判定部６４０による判定期間のみ、補助電流ＩＡＵＸが流れ、判定期間以外では補助電流ＩＡＵＸの経路を遮断することが好ましい。
【００４０】
判定部６４０は、被バイパス素子５０５のオープン異常を検出する。具体的には判定部６４０は、オープン異常を判定する際に、バイパス回路６２０をディセーブル状態とする。そして、そのときに補助給電回路６３０に期待される電流が流れないときに、被バイパス素子５０５がオープン異常であると判定し、期待される電流が流れるとき、被バイパス素子５０５が正常であると判定する。
【００４１】
判定部６４０は、（i）半導体光源５０２の点灯中に低電圧状態となる前、（ii）点灯開始時に低電圧状態であるとき、のいずれか一方、好ましくは両方において、上述の判定を行う。
【００４２】
判定部６４０は、正常と判定した場合、許可信号ＢＹＰＡＳＳ＿ＯＫをアサートしてもよい。バイパス回路６２０は、被バイパス素子５０５が正常であると判定されたことを条件として、すなわち許可信号ＢＹＰＡＳＳ＿ＯＫのアサートを条件として、イネーブル状態にセット可能である。被バイパス素子５０５がオープン異常と判定された場合、低電圧状態となっても、バイパス回路６２０はディセーブル状態を維持し続ける。
【００４３】
また判定部６４０は、オープン異常を検出すると、半導体光源５０２の異常を示すフラグ（割り込み信号）ＦＡＩＬをアサートして、車両用灯具５００は外部のマイコン（車両側のＥＣＵ）に通知してもよい。
【００４４】
以上が車両用灯具５００の構成である。続いてその動作を説明する。
【００４５】
図３（ａ）、（ｂ）は、図２の車両用灯具５００の点灯開始時の動作波形図である。はじめに図３（ａ）を参照し、被バイパス素子５０５が正常であるときの動作を説明する。
【００４６】
時刻ｔ０にスイッチ４がオンとなると、入力電圧ＶＩＮが供給される。入力電圧ＶＩＮはしきい値ＶＴＨより低い低電圧状態である。この状態では、許可信号ＢＹＰＡＳＳ＿ＯＫはローであり、バイパス回路６２０はディセーブル状態である。
【００４７】
ＶＩＮ＜ＶＴＨでは、駆動回路６１０の出力電圧ＶＯＵＴは最低点灯電圧ＶＭＩＮ（＝３×Ｖｆ０）を下回るから、駆動電流ＩＬＥＤはゼロ付近である。
【００４８】
時刻ｔ１に、判定部６４０による判定のために、補助給電回路６３０が導通する（オン）。被バイパス素子５０５は正常であるから、補助給電回路６３０および被バイパス素子５０５に補助電流ＩＡＵＸが流れる。判定部６４０は、非ゼロの補助電流ＩＡＵＸが流れたことを検出すると、許可信号ＢＹＰＡＳＳ＿ＯＫをアサートする。許可信号ＢＹＰＡＳＳ＿ＯＫがアサートされると、バイパス回路６２０はイネーブル状態に移行し、被バイパス素子５０５がバイパスされる。これにより、ＶＭＩＮ＝２×Ｖｆ０となり、ＶＯＵＴ＞２×Ｖｆ０となるため、駆動回路６１０は、駆動電流ＩＬＥＤを目標量ＩＲＥＦに安定化することができ、発光素子５０４＿１，５０４＿２が点灯する。
【００４９】
続いて図３（ｂ）を参照し、被バイパス素子５０５がオープン異常であるときの動作を説明する。
【００５０】
時刻ｔ１より前の動作は図３（ａ）と同様である。時刻ｔ０にしきい値ＶＴＨより低い入力電圧ＶＩＮが供給される。この状態では、許可信号ＢＹＰＡＳＳ＿ＯＫはローであり、バイパス回路６２０はディセーブル状態である。
【００５１】
時刻ｔ１に、判定部６４０による判定のために、補助給電回路６３０が導通する（オン）。被バイパス素子５０５がオープン異常であるとき、補助電流ＩＡＵＸはゼロを維持する。判定部６４０は、非ゼロの補助電流ＩＡＵＸが検出できず、したがって許可信号ＢＹＰＡＳＳ＿ＯＫのネゲートを維持する。許可信号ＢＹＰＡＳＳ＿ＯＫがネゲートされているため、バイパス回路６２０はイネーブル状態に移行しない。半導体光源５０２の最低点灯電圧ＶＭＩＮは３×Ｖｆ０のままであり、出力電圧ＶＯＵＴが不足するため、駆動電流ＩＬＥＤは実質的にゼロ近傍となり、半導体光源５０２は消灯を維持する。
【００５２】
図４は、図２の車両用灯具５００の点灯中の動作波形図である。図４は、被バイパス素子５０５が正常であるときの動作を示す。
【００５３】
時刻ｔ１より前において、正常電圧状態（ＶＩＮ＞ＶＴＨ）であり、バイパス回路６２０はディセーブル状態である。駆動回路６１０が生成する駆動電流ＩＬＥＤは目標量ＩＲＥＦに安定化されており、すべての発光素子５０４＿１〜５０４＿３が点灯している。補助給電回路６３０は遮断されており、補助電流ＩＡＵＸはゼロである。
【００５４】
入力電圧ＶＩＮは時間とともに低下していき、時刻ｔ１に、入力電圧ＶＩＮがしきい値ＶＴＨより低くなる。それより前の時刻ｔ０に、入力電圧ＶＩＮが、しきい値Ｖａ（Ｖａ＞ＶＴＨ）を下回ったことをトリガーとして、判定部６４０によるオープン異常の判定動作が行われる。
【００５５】
判定部６４０によるオープン異常の判定のために、補助給電回路６３０が導通（オン）する。このとき、被バイパス素子５０５は正常であるから、補助給電回路６３０および被バイパス素子５０５に補助電流ＩＡＵＸが流れる。判定部６４０は、非ゼロの補助電流ＩＡＵＸが流れたことを検出すると、許可信号ＢＹＰＡＳＳ＿ＯＫをアサートする。判定完了後、補助給電回路６３０は遮断（オフ）され、補助電流ＩＡＵＸはゼロとなる。
【００５６】
許可信号ＢＹＰＡＳＳ＿ＯＫがアサートされると、バイパス回路６２０はイネーブル状態にセット可能となる。そして、時刻ｔ１に入力電圧ＶＩＮがしきい値ＶＴＨを下回ると、バイパス回路６２０はイネーブル状態に移行し、被バイパス素子５０５がバイパスされる。これにより、ＶＭＩＮ＝２×Ｖｆ０となり、ＶＯＵＴ＞２×Ｖｆ０となるため、駆動電流ＩＬＥＤが目標量ＩＲＥＦに復帰し、発光素子５０４＿１，５０４＿２が点灯する。
【００５７】
以上が車両用灯具５００の動作である。この車両用灯具５００によれば、被バイパス素子５０５にオープン異常を検出することができる。これにより、ユーザに故障を通知したり、点灯回路の動作を制限するといった対策が可能となる。
【００５８】
オープン異常が検出されると、バイパス回路６２０のイネーブル化を禁止することにより、正常電圧状態では半導体光源５０２が点灯不能であるにもかかわらず、低電圧状態では半導体光源５０２が点灯可能であるという状況を防止できる。したがって、被バイパス素子５０５にオープン異常が発生すると、正常電圧状態、低電圧状態の両方において半導体光源５０２は消灯するため、ユーザは、車両用灯具５００の異常に気が付くことができる。
【００５９】
本発明は、図２のブロック図や回路図として把握され、あるいは上述の説明から導かれるさまざまな装置、方法に及ぶものであり、特定の構成に限定されるものではない。以下、本発明の範囲を狭めるためではなく、発明の本質や動作の理解を助け、またそれらを明確化するために、より具体的な構成例や実施例を説明する。
【００６０】
（第１実施例）
図５は、第１実施例に係る点灯回路６００Ａを備える車両用灯具５００Ａのブロック図である。バイパス回路６２０は、バイパススイッチ６２２およびバイパス制御部６２４を含む。バイパススイッチ６２２は、被バイパス素子５０５と並列に接続されたバイパストランジスタ６２３を含む。バイパス制御部６２４は、入力電圧ＶＩＮにもとづいて、バイパススイッチ６２２の導通、遮断（オン、オフ）を制御する。バイパススイッチ６２２の導通状態は、バイパス回路６２０のイネーブル状態に対応し、バイパススイッチ６２２の遮断状態は、バイパス回路６２０のディセーブル状態に対応する。
【００６１】
抵抗Ｒ２１，Ｒ２２は、入力電圧ＶＩＮを分圧する。バイパス制御部６２４は、分圧後の入力電圧（検出電圧Ｖｄ）をしきい値ＶＴＨ’と比較し、Ｖｄ＜ＶＴＨ’である低電圧状態において、制御信号ＢＡＴ＿ＬＯＷをハイとし、バイパススイッチ６２２をオンする。またバイパス制御部６２４は、Ｖｄ＞ＶＴＨ’である正常電圧状態において、制御信号ＢＡＴ＿ＬＯＷをローとし、バイパススイッチ６２２をオフする。
【００６２】
バイパス制御部６２４は、入力電圧ＶＩＮ（検出電圧Ｖｄ）にもとづいて、バイパススイッチ６２２がオフからオンの状態に切り替わる、あるいはオンからオフに切り替わる際には、駆動電流ＩＬＥＤの一部がバイパススイッチ６２２に迂回する状態を経由してもよい。すなわちバイパス回路６２０のイネーブル状態とは、駆動電流ＩＬＥＤのうち一部が迂回する状態も含む。
【００６３】
補助給電回路６３０は、電流制限素子である抵抗Ｒ１１およびスイッチ６３２を含む。電流制限抵抗Ｒ１１は、入力電圧ＶＩＮが与えられる入力ライン５１０と被バイパス素子５０５の間に設けられる。スイッチ６３２は電流制限抵抗Ｒ１１と直列に設けられる。スイッチ６３２は、補助給電回路６３０の導通、遮断を制御するために設けられる。スイッチ６３２は、判定部６４０による判定期間中のみ、オンし、判定完了後はオフとしてもよい。
【００６４】
あるいは、駆動回路６１０のオン、オフ（すなわち駆動電流ＩＬＥＤのオン、オフ）が切り替え可能である場合、それと連動してスイッチ６３２のオン、オフを制御してもよい。
【００６５】
被バイパス素子５０５の順電圧をＶｆ０とする。被バイパス素子５０５が正常であるときの補助電流ＩＡＵＸの電流量すなわち期待値は以下の式で表される。
ＩＡＵＸ＝（ＶＩＮ−Ｖｆ０）／Ｒ１１
【００６６】
電流制限抵抗Ｒ１１の電圧降下は、補助電流ＩＡＵＸに比例する。そこで判定部６４０は、電流制限抵抗Ｒ１１の電圧降下Ｖｃｓにもとづいて、補助電流ＩＡＵＸが流れているか否かを判定することができる。判定部６４０は、電圧降下Ｖｃｓが所定のしきい値より小さいときに、被バイパス素子５０５がオープン異常であると判定することができる。この構成によれば、駆動用の電流制限抵抗Ｒ１１を、電流監視用の抵抗と兼用でき、回路面積の増加を抑えることができる。
【００６７】
（第２実施例）
図６は、第２実施例に係る点灯回路６００Ｂを備える車両用灯具５００Ｂのブロック図である。バイパス回路６２０は、スイッチＳＷ２および抵抗Ｒ２３を含む。スイッチＳＷ２は、許可信号ＢＹＰＡＳＳ＿ＯＫがアサートのときオンとなり、バイパススイッチ６２２は、バイパス制御部６２４の出力ＢＡＴ＿ＬＯＷに応じてオン、オフが制御される。スイッチＳＷ２は、許可信号ＢＹＰＡＳＳ＿ＯＫがネゲートのときオフとなり、バイパススイッチ６２２のゲートは、抵抗Ｒ２３によってプルダウンされ、バイパススイッチ６２２はオフとなる。
【００６８】
スイッチＳＷ２および抵抗Ｒ２３は、許可信号ＢＹＰＡＳＳ＿ＯＫと制御信号ＢＡＴ＿ＬＯＷを受け、出力がバイパストランジスタ６２３のゲートと接続される論理ゲートに置換することができる。
【００６９】
判定部６４０Ｂは、アンプ６４２、電圧コンパレータ６４４、スイッチＳＷ１、抵抗Ｒ３１、低電圧検出部６４６を含む。アンプ６４２は、電流制限抵抗Ｒ１１の電圧降下Ｖｃｓを増幅する。電圧コンパレータ６４４は、増幅後の電圧降下Ｖｃｓ’をしきい値電圧Ｅと比較し、Ｖｃｓ’＞Ｅのときハイを、Ｖｃｓ’＜Ｅのときローを出力する。低電圧検出部６４６は、検出電圧Ｖｄにもとづいて、低電圧状態となり得る状態か否かを判定する。「低電圧状態になり得る状態」とは、図４を参照して説明したように、入力電圧ＶＩＮが、しきい値ＶＴＨよりわずかに高いしきい値Ｖａを下回った状態であってもよい。低電圧状態となる可能性があるときに、スイッチＳＷ１はオンとなり、電圧コンパレータ６４４の出力は、許可信号ＢＹＰＡＳＳ＿ＯＫとして出力される。正常電圧状態であるときにスイッチＳＷ１はオフとなり、許可信号ＢＹＰＡＳＳ＿ＯＫは抵抗Ｒ３１によりプルダウンされ、ローに固定される。
【００７０】
低電圧検出部６４６を省略して、バイパス制御部６２４が生成する制御信号ＢＡＴ＿ＬＯＷを、スイッチＳＷ１の制御に利用してもよい。
【００７１】
（第３実施例）
これまでの説明では、被バイパス素子を１個の例を説明したが、被バイパス素子は複数（ｍ≧２）個でありうる。図７は、第３実施例に係る点灯回路６００Ｃを備える車両用灯具５００Ｃのブロック図である。ｍ＝３個すべての発光素子５０４＿１〜５０４＿３は、被バイパス素子であり、それらが個別にバイパス可能となっている。バイパス回路６２０Ｃは、複数の被バイパス素子に対応する複数のバイパススイッチ６２２＿１〜６２２＿３と、バイパス制御部６２４Ｃを備える。なお各バイパススイッチ６２２はトランジスタで構成してもよい。
【００７２】
バイパス制御部６２４Ｃは、入力電圧ＶＩＮが低下するほど、オン状態とすべきバイパススイッチ６２２の個数ｋ（０≦ｋ≦ｍ）、言い換えればバイパスすべき発光素子５０４の個数を増加させる。バイパス制御部６２４は、ｋ個のバイパススイッチをオンすべき期間において、ｋ個のバイパススイッチを時分割で輪番で高速に切り替えてもよい。これにより、消灯する発光素子５０４を時分割で切り替えることができる。複数の発光素子５０４が同一平面に配置される場合に、オフ状態の発光素子５０４が固定されると、輝度ムラの原因となるところ、輪番で消灯する発光素子を切り替えることにより、輝度ムラを抑制できる。
【００７３】
点灯回路６００Ｃは、複数の被バイパス素子５０４＿１〜５０４＿３に対応する複数の補助給電回路６３０＿１〜６３０＿３を備える。各補助給電回路６３０＿＃（＃＝１，２，３）は、対応する発光素子５０４＿＃に対して、駆動回路６１０とは別系統で給電可能に構成される。この構成により、発光素子５０４＿１〜５０４＿３それぞれのオープン異常を検出することができる。
【００７４】
判定部６４０Ｃは、以下のシーケンスによって複数の発光素子５０４＿１〜５０４＿３の異常を判定してもよい。
【００７５】
（ステップi）  すべてのバイパススイッチ６２２＿１〜６２２＿３をオフ状態とし、最も低電位側の被バイパス素子５０４＿３を判定対象とする。具体的には判定部６４０Ｃは、補助給電回路６３０＿３の電気的状態にもとづいて、発光素子５０４＿３の異常の有無を判定する。
【００７６】
（ステップii）  最も低電位側の被バイパス素子５０４＿３が非オープン異常（正常）であるとき、最も低電位側のバイパススイッチ６２２＿３をオン状態とし、残りのバイパススイッチ６２２＿１，６２２＿２のオフを維持する。そして２番目に低電位の被バイパス素子５０４＿２を判定対象とする。具体的には判定部６４０Ｃは、補助給電回路６３０＿２の電気的状態にもとづいて、発光素子５０４＿２の異常の有無を判定する。
【００７７】
（ステップiii）  被バイパス素子５０４＿２が非オープン異常（正常）であるとき、バイパススイッチ６２２＿２をオフに切り替える。このときバイパススイッチ６２２＿１のみがオフとなっている。そして３番目に低電位（最も高電位）の被バイパス素子５０４＿１を判定対象とする。具体的には判定部６４０Ｃは、補助給電回路６３０＿１の電気的状態にもとづいて、発光素子５０４＿１の異常の有無を判定する。
【００７８】
（ステップi）〜（ステップiii）のいずれかにおいて、判定対象の発光素子５０４の異常が検出されると、次のステップには進まずに、判定シーケンスを注視する。
【００７９】
図８は、オープン異常判定のフローチャートである。はじめに変数ｉがｍに初期化される（Ｓ１００）。そしてすべてのバイパススイッチ６２２＿１〜６２２＿ｍがオフされる（Ｓ１０２）。そしてｉ番目の補助給電回路６３０＿ｉの電気的状態にもとづいて、ｉ番目の発光素子５０４＿ｉのオープン異常の有無が判定される（Ｓ１０４）。そして異常と判定された場合（Ｓ１０６のＹ）、処理Ｓ１０４に戻る。つまり正常と判定されるまで、待機状態となる。
【００８０】
正常と判定された場合（Ｓ１０６のＮ）、ｉ＝１であれば（Ｓ１０８のＹ）、すなわちすべての発光素子５０４が正常であるとき、許可信号ＢＹＰＡＳＳ＿ＯＫ信号をアサートして（Ｓ１１０）、処理を終了する。ｉ≧２であれば（Ｓ１０８のＮ）、判定対象を次の発光素子５０４に移行する。具体的には、ｉ番目のバイパススイッチ６２２＿ｉをオンし（Ｓ１１２）、ｉを１デクリメントして（Ｓ１１４）、処理Ｓ１０４に戻る。
【００８１】
図９は、点灯回路６００Ｃの構成例を示す回路図である。補助給電回路６３０＿＃（＃＝１，２，３）は、抵抗Ｒ１＃およびスイッチ６３２＿＃を含む。判定部６４０Ｃは、複数の比較手段ＣＯＭＰ１〜ＣＯＭＰ３およびロジック回路６４８を含む。比較手段ＣＯＭＰ＃は、図６のアンプ６４２および６４４に対応しており、対応する抵抗Ｒ１＃の電圧降下を、所定のしきい値と比較する。ロジック回路６４８は、複数の比較手段ＣＯＭＰ１〜ＣＯＭＰ３の出力Ｓ１１〜Ｓ１３にもとづいて、許可信号ＢＹＰＡＳＳ＿ＯＫ信号を生成する。
【００８２】
図１０は、判定部６４０Ｃの第１の構成例を示す回路図である。判定部６４０Ｃは、複数ｍ（ｍ＝３）個のＳＲ型のフリップフロップＦＦ１１〜ＦＦ１ｍおよび複数（ｍ−１）個のＡＮＤゲートＡ１〜Ａｍ−１を含む。ＡＮＤゲートＡｉは、前段のフリップフロップＦＦ１（ｉ−１）と、比較手段ＣＯＭＰｉの出力Ｓ１ｉの論理積を生成する。フリップフロップＦＦ１１〜ＦＦ１３のリセット端子には、パワーオンリセット信号ＰＯＲと、リセット信号ＲＳＴの論理和が入力される。リセット信号ＲＳＴは、電源電圧ＶＩＮが高く、バイパスが不要であるときにアサート（ハイ）となる。
【００８３】
フリップフロップＦＦ１ｍのセット端子には、ｍ番目の比較手段ＣＯＭＰｍの出力Ｓ１ｍが入力される。またフリップフロップＦＦ１ｉ（１≦ｉ≦ｍ−１）のセット端子は、ＡＮＤゲートＡｉの出力と接続される。フリップフロップＦＦ１１の出力は、許可信号ＢＹＰＡＳＳ＿ＯＫとなる。
【００８４】
なお、フリップフロップＦ１２〜Ｆ１ｍの出力を、判定状態における複数のバイパススイッチ６２２＿２〜６２２＿ｍの制御信号として用いることができ、この場合、判定部６４０Ｃは、バイパス制御部６２４Ｃの機能を兼ねている。
【００８５】
図１１は、判定部６４０Ｃの第２の構成例を示す回路図である。判定部６４０Ｃは、図１０のＳＲ型のフリップフロップＦＦ１１〜ＦＦ１ｍを、ＤフリップフロップＦＦ２１〜ＦＦ２ｍに置換した構成でである。ＤフリップフロップＦＦ２１〜ＦＦ２ｍのクロック端子には、所定の周波数のクロック信号が供給される。
【００８６】
（第４実施例）
図１２は、第４実施例に係る点灯回路６００Ｄを備える車両用灯具５００Ｄのブロック図である。複数の補助給電回路６３０＿１〜６３０＿３は電流制限抵抗Ｒ１１を共有して一体に構成され、ｉ番目のスイッチ６３２＿ｉがオンとなると、ｉ番目の補助給電回路６３０＿ｉがオンとなる。判定部６４０Ｄは、１個の比較手段ＣＯＭＰ１を有する。ｉ番目のスイッチ６３２＿ｉがオンであるときの比較手段ＣＯＭＰ１の出力は、ｉ番目の発光素子５０４の判定結果を表す。第４実施例によれば、回路面積を小さくできる。
【００８７】
続いて車両用灯具５００の用途を説明する。図１３（ａ）〜（ｄ）は、車両用灯具５００の一例であるＬＥＤソケットを示す図である。図１３（ａ）はＬＥＤソケット７００の外観の斜視図である。図１３（ｂ）はＬＥＤソケット７００の正面図を、図１３（ｃ）はＬＥＤソケット７００の平面図を、図１３（ｃ）はＬＥＤソケット７００の底面図を示す。
【００８８】
筐体７０２は、図示しないランプボディに着脱可能な形状を有する。中央部には、複数の発光素子５０４が実装され、それらは透明のカバー７０４で覆われている。基板７１０には、点灯回路６００の部品が実装される。複数の発光素子５０４は赤色のＬＥＤチップであり、ストップランプとして利用される。
【００８９】
ストップランプとテールランプの兼用のＬＥＤソケットでは、複数の発光素子５０４と隣接して、テールランプ用の発光素子が実装され、基板７１０上には、テールランプ用の点灯回路が実装される。
【００９０】
筐体７０２の底面側には、３本のピン７２１、７２２、７２３が露出している。ピン７２１には、スイッチを介して入力電圧ＶＩＮが供給され、ピン７２２には接地電圧が供給される。ピン７２３は、テールランプの点灯時にハイとなる入力電圧が供給される。ピン７２１〜７２３は、筐体７０２の内部を貫通しており、それらの一端は、基板７１０の配線パターンと接続される。
【００９１】
以上、本発明について、実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【００９２】
（変形例１）
実施の形態では補助給電回路６３０を、電流制限抵抗Ｒ１１で構成したがその限りでなく、適切にバイアスしたトランジスタで構成してもよい。
【００９３】
（変形例２）
図５において、補助給電回路６３０の電流制限抵抗Ｒ１１の抵抗値を十分に高く設定し、スイッチ６３２を省略してもよい。バイパス回路６２０がディセーブルであり、すべての発光素子５０４＿１〜５０４＿３が駆動回路６１０によって駆動される通常電圧状態において、電流制限抵抗Ｒ１１のインピーダンスが、駆動回路６１０のインピーダンスよりも十分高ければ、スイッチ６３２を省略したとしても、電流制限抵抗Ｒ１１の影響は無視できる。
【００９４】
（変形例３）
図６の実施例において、被バイパス素子５０５が正常であるときの電流制限抵抗Ｒ１１の電圧降下が十分に大きい場合、アンプ６４２は省略可能である。また電圧コンパレータ６４４に代えて、バイポーラトランジスタやＭＯＳトランジスタを電圧比較手段として用いてもよい。
【００９５】
（変形例４）
図５や図６の実施例では、電流制限抵抗Ｒ１１の電圧降下にもとづいて、被バイパス素子５０５のオープン異常を検出したが、その限りでない。たとえば判定部６４０は、補助給電回路６３０と被バイパス素子５０５の接続ノードの電圧、言い換えれば被バイパス素子５０５の両端間電圧にもとづいて、オープン異常を検出してもよい。被バイパス素子５０５がオープン異常であるときには、補助給電回路６３０と被バイパス素子５０５の接続ノードの電圧は、実質的に入力電圧ＶＩＮと等しくなる。被バイパス素子５０５が正常であるとき、接続ノードの電圧は、被バイパス素子５０５の順電圧Ｖｆと等しくなる。そこで、接続ノードの電圧を、順電圧Ｖｆより高く定めたしきい値と比較することによっても、被バイパス素子５０５のオープン異常を検出できる。
【００９６】
（変形例５）
被バイパス素子５０５のオープン異常の判定に要する時間が、仮に被バイパス素子５０５が発光したとしても、ユーザが知覚できないほどに短い場合（たとえば数ｍｓ〜数十ｍｓ）、補助電流ＩＡＵＸは駆動電流ＩＬＥＤの目標量ＩＲＥＦと同程度とすることができる。
【００９７】
さらにこの場合において、低電圧状態より入力電圧ＶＩＮが低い最低電圧状態を規定し、最低電圧状態において、駆動回路６１０を停止し、補助給電回路６３０によって被バイパス素子５０５を点灯してもよい。これにより、正常電圧状態で３個の発光素子５０４＿１〜５０４＿３を、低電圧状態で２個の発光素子５０４＿１〜５０４＿２を、最低電圧状態で１個の発光素子５０４＿３を点灯させることができる。この場合の補助電流ＩＡＵＸは、駆動電流ＩＬＥＤの目標量ＩＲＥＦと同程度としてもよい。
【００９８】
（変形例６）
補助給電回路６３０を入力ラインと接続したがその限りでなく、被バイパス素子５０５の順電圧Ｖｆよりも高い電圧が発生するラインと接続すればよい。
【００９９】
（変形例７）
実施の形態では抵抗制限素子として抵抗を用いたがその限りでなく、トランジスタを用いてもよい。
【０１００】
（変形例８）
図８のフローチャートでは、最も低電位側の被バイパス素子から高電位側に向かって順に判定対象としたがその限りでなく、最も高電位側から低電位側に向かって検査対象としてもよい。この場合、変数ｉを１からｍまでインクリメントしながら、ｉ番目の被バイパス素子５０４＿ｉを判定対象とするとき、それよりも低電位側のバイパススイッチ６２２＿（ｉ＋１），６２２＿（ｉ＋２），…６２２＿ｍをオン状態とする。そして判定対象の被バイパス素子５０４＿ｉが正常であるとき、次の被バイパス素子の判定に移行する。
【０１０１】
実施の形態では、車両用灯具５００がストップランプやテールランプである場合を説明したが、その限りでなく、ヘッドランプであってもよい。
【０１０２】
実施の形態にもとづき、具体的な語句を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【産業上の利用可能性】
【０１０３】
本発明は、自動車などに用いられる灯具に関する。
【符号の説明】
【０１０４】
２  バッテリ、４  スイッチ、５００  車両用灯具、５０２  半導体光源、５０４  発光素子、５０５  被バイパス素子、６００  点灯回路、６１０  駆動回路、６２０  バイパス回路、６２２  バイパススイッチ、６２４  バイパス制御部、６３０  補助給電回路、Ｒ１１  電流制限抵抗、６３２  スイッチ、６４０  判定部、６４２  アンプ、６４４  電圧コンパレータ、７００  ＬＥＤソケット、７０２  筐体、７０４  カバー、７１０  基板、７２１，７２２，７２３  ピン
【図１】
2020045271.tif 000003
【図２】
2020045271.tif 000004
【図３】
2020045271.tif 000005
【図４】
2020045271.tif 000006
【図５】
2020045271.tif 000007
【図６】
2020045271.tif 000008
【図７】
2020045271.tif 000009
【図８】
2020045271.tif 000010
【図９】
2020045271.tif 000011
【図１０】
2020045271.tif 000012
【図１１】
2020045271.tif 000013
【図１２】
2020045271.tif 000014
【図１３】
2020045271.tif 000015
【国際調査報告】
2020045271.tif 000016
2020045271.tif 000017
2020045271.tif 000018
2020045271.tif 000019